(57)【要約】【課題】リンク適応技法を利用する通信システムのための、チャネル品質予測によって性能を改善する方法を提供する。【解決手段】本発明は、ダウリング送信に関して選択的な測定を行い（２１０）、その後、１つもしくは複数の測定値、または測定値から導出したチャネル品質表示を保存する（２１２）受信機を備える。次に受信機は、１つもしくは複数の過去の測定値（または過去のチャネル品質推定自体）を取り出し、それを現在の測定値（または現在のチャネル品質推定）と合成して、チャネル品質が将来のある時刻にどのようになるかを予測し、予測チャネル品質表示（ＣＱＩ）を導出する。現在のチャネル測定値と少なくとも１つの過去のチャネル測定値とから導出されるこの予測ＣＱＩは、その後、送信機に送信されて、送信パラメータを更新するのに使用される（２２０）。【選択図】図３
2009124738.tif 000002
【特許請求の範囲】
【請求項１】
基地局との通信を行う通信チャネルの品質に関するフィードバックを与える無線送受信装置（ＷＴＲＵ）であって、前記基地局は前記ＷＴＲＵへ制御通信を送信し、前記制御通信は引き続くダウンリンク通信に与えられるリソースの割当に関する情報を含み、前記ＷＴＲＵは、
前記制御通信および前記ダウンリンク通信を受信するように構成された受信機と、
前記ダウンリンク通信に関する選択的チャネル品質表示（ＣＱＩ）測定を実行して、前記ダウンリンク通信の現在の品質を決定しおよび予測ＣＱＩを決定するように構成されたプロセッサと、
前記基地局に前記予測ＣＱＩを送信するように構成された送信機であって、前記基地局は前記予測ＣＱＩを使用して将来の送信のための送信パラメータを設定することと
を備えたことを特徴とするＷＴＲＵ。
【請求項２】
前記選択的ＣＱＩ測定の少なくとも１つを保存するメモリをさらに備えたことを特徴とする請求項１に記載のＷＴＲＵ。
【請求項３】
前記プロセッサは、現在のＣＱＩを引き出しおよび前記現在のＣＱＩを前記メモリに保存するようにさらに構成されていることを特徴とする請求項２に記載のＷＴＲＵ。
【請求項４】
前記プロセッサは、前記ＣＱＩの少なくとも１つを取り出して、それを前記現在のＣＱＩと結合させ、前記ダウンリンクチャネルの将来の状態の品質を予測するように構成されているを特徴とする請求項３に記載のＷＴＲＵ。
【請求項５】
前記プロセッサは、線形予測アルゴリズムを使用して、前記予測ＣＱＩを決定するように構成されていることを特徴とする請求項１に記載のＷＴＲＵ。
【請求項６】
前記ダウンリンク通信は、少なくとも１つのデータ通信を含むことを特徴とする請求項２に記載のＷＴＲＵ。
【請求項７】
前記ダウンリンク通信は、少なくとも１つのパイロット通信を含むことを特徴とする請求項１に記載のＷＴＲＵ。
【請求項８】
前記ダウンリンクチャネルは、前記ＣＱＩ測定が実行される複数のダウンリンクチャネルから構成されたことを特徴とする請求項１に記載のＷＴＲＵ。
【請求項９】
前記複数のダウンリンクチャネルは、前記ＣＱＩ測定が実行された少なくとも１つのデータチャネルであることを特徴とする請求項８に記載のＷＴＲＵ。
【請求項１０】
前記複数のダウンリンクチャネルは、前記ＣＱＩ測定が実行される少なくとも１つのパイロットチャネルであることを特徴とする請求項８に記載のＷＴＲＵ。
【請求項１１】
前記複数のダウンリンクチャネルは、前記ＣＱＩ測定が実行される少なくとも１つのパイロットチャネルおよび少なくとも１つのデータチャネルであることを特徴とする請求項８に記載のＷＴＲＵ。
【請求項１２】
ダウンリンク制御メッセージを送信する基地局との通信をする通信チャネルの品質に関するフィードバックを与える無線送受信装置（ＷＴＲＵ）であって、前記ダウンリンク制御メッセージは前記ＷＴＲＵへ与えられるリソースの割当に関し、前記ＷＴＲＵは、
前記ダウンリンク制御メッセージおよび引き続くダウンリンクデータ送信を受信するように構成された受信機であって、前記ダウンリンク制御メッセージはダウンリンク制御チャネル上で受信され、前記ＷＴＲＵに前記引き続くダウンリンクデータ送信のタイミングを知らせることと、
前記ダウンリンクデータ送信に関する選択的チャネル品質表示（ＣＱＩ）測定値を測定し、将来のチャネル状態の品質を予測するのに使用される予測ＣＱＩを決定するように構成されたプロセッサと
を備えたことを特徴とするＷＴＲＵ。
【請求項１３】
前記選択的ＣＱＩ測定値の少なくとも１つを保存するメモリをさらに備えたことを特徴とする請求項１２に記載のＷＴＲＵ。
【請求項１４】
前記プロセッサは、現在のＣＱＩを引き出し、前記メモリに前記現在のＣＱＩを保存するように構成されていることを特徴とする請求項１３に記載のＷＴＲＵ。
【請求項１５】
前記プロセッサは、前記ＣＱＩ測定値の少なくとも１つを取り出して、それを前記現在のＣＱＩと結合させ、将来のチャネル状態の品質を予測するように構成されていることを特徴とする請求項１４記載のＷＴＲＵ。
【請求項１６】
前記プロセッサは、線形予測アルゴリズムを使用して、前記予測ＣＱＩを決定するように構成されていること特徴とする請求項１２に記載のＷＴＲＵ。
【請求項１７】
通信チャネルの将来の品質を予測する方法において、
ダウンリンクデータ通信を受信するステップと、
前記ダウンリンクデータ通信に関する少なくとも１つの現在の測定を実行して、前記ダウンリンクデータチャネルの現在の品質を決定するステップと、
現在の品質に基づいて、次のダウンリンクデータ通信のための、前記ダウンリンクデータチャネルの将来の品質を推定している予測チャンネル品質表示（ＣＱＩ）を引き出すステップと、
前記予測ＣＱＩを送信するステップであって、前記予測ＣＱＩは推奨されるトランスポートブロックサイズ、変調フォーマットまたは符号の数の中の少なくとも１つを含むことと
を備えることを特徴とする方法。
【請求項１８】
前記少なくとも１つの現在の品質測定を保存するステップをさらに備えること特徴とする請求項１７に記載の方法。
【請求項１９】
予測ＣＱＩを引き出す前記ステップは、
少なくとも１つの保存された品質測定を取り出すステップと、
前記少なくとも１つの保存された品質測定および前記少なくとも１つの現在の品質測定値を利用して前記ＣＱＩを引き出すステップと
を含むこと特徴とする請求項１８に記載の方法。
【請求項２０】
前記予測ＣＱＩを保存するステップをさらに備えること特徴とする請求項１７に記載の方法。
【請求項２１】
予測ＣＱＩを引き出す前記ステップは、線形予測アルゴリズムを使用して、前記予測ＣＱＩを引き出すること特徴とする請求項１７に記載の方法。
【請求項２２】
ダウンリンク通信チャネルの予測チャネル品質測定を与える方法において、
前記ダウンリンク通信チャネルをモニタするステップと、
前記ダウンリンクデータ通信チャネルに関する少なくとも１つの現在の品質測定を実行し、前記ダウンリンクデータチャネルの現在の品質を決定するステップと、
前記品質測定を実行するステップに基づいて、前記ダウンリンクデータ通信チャネルの将来の品質の予測を引き出すステップと、
前記予測を送信するステップであって、前記予測は、推奨されるトランスポートブロックサイズ、変調フォーマットまたは符号の数の中の少なくとも１つ表すことと
を備えることを特徴とする方法。
【請求項２３】
前記少なくとも１つの現在の品質測定を保存するステップをさらに備えること特徴とする請求項２２に記載の方法。
【請求項２４】
予測を引き出す前記ステップは、
少なくとも１つの保存された品質測定を取り出すステップと、
前記少なくとも１つの保存された品質測定および前記少なくとも１つの現在の品質測定値を利用して、前記予測を引き出すステップと
を含むこと特徴とすること特徴とする請求項２３に記載の方法。
【請求項２５】
前記予測を保存するステップをさらに備えること特徴とする請求項２２に記載の方法。
【請求項２６】
予測を引き出す前記ステップは、線形予測アルゴリズムを使用して、前記予測を引き出すること特徴とする請求項２２に記載の方法。
【請求項２７】
通信チャネルの将来の品質を予測する方法において、
ダウンリンクデータチャネル上のダウンリンクデータ通信を受信するステップと、
パイロットチャネル通信を受信するステップと、
前記ダウンリンクデータ通信および前記パイロットチャネル通信に関する少なくとも１つの現在の品質測定を実行して、前記ダウンリンクデータチャネルの現在の品質を決定するステップと、
前記品質測定を実行するステップに基づいて、前記ダウンリンクデータチャネルの将来の品質を推定している予測チャネル品質表示（ＣＱＩ）を引き出すステップと、
前記予測ＣＱＩを送信するステップであって、前記予測ＣＱＩは推奨されるトランスポートブロックサイズ、変調フォーマットまたは符号の数の中の少なくとも１つを含むことと
を備えることを特徴とする方法。
【請求項２８】
前記少なくとも１つの現在の品質測定を保存するステップをさらに備えること特徴とする請求項２７に記載の方法。
【請求項２９】
予測ＣＱＩを引き出す前記ステップは、
少なくとも１つの保存された品質測定を取り出すステップと、
前記少なくとも１つの保存された品質測定および前記少なくとも１つの現在の品質測定値を利用して前記ＣＱＩを引き出すステップと
を含むこと特徴とする請求項２８に記載の方法。
【請求項３０】
前記予測ＣＱＩを保存するステップをさらに備えること特徴とする請求項２７に記載の方法。
【請求項３１】
予測ＣＱＩを引き出す前記ステップは、線形予測アルゴリズムを使用して、前記予測ＣＱＩを引き出すること特徴とする請求項２７に記載の方法。
【発明の詳細な説明】
【背景技術】
【０００１】
本発明は一般に、無線通信システムに関する。より詳細には、本発明は動的リンク適応における改良されたチャネル品質表示（ｃｈａｎｎｅｌ  ｑｕａｌｉｔｙ  ｉｎｄｉｃａｔｉｏｎ）のために、無線通信システムによって利用される方法に関する。
【０００２】
無線受信機においてチャネル品質を推定するために、現行の無線通信システムにおいては様々なアルゴリズムが広く使用されている。これらのアルゴリズムは、例えば、第３世代パートナーシッププロジェクト（３ＧＰＰ）高チップレート時分割複信（ＴＤＤ）モード、３ＧＰＰ低チップレートＴＤＤモード、３ＧＰＰ周波数分割複信（ＦＤＤ）モード、時分割同期符号分割多元接続（ＴＤ−ＳＣＤＭＡ）規格、および上記システムの高速ダウンリンクパケットアクセス（ＨＳＤＰＡ）拡張を使用するシステムにおいて利用されている。品質推定は、送信電力制御、同期および同期ずれ（ｉｎ−  ａｎｄ  ｏｕｔ−ｏｆ−ｓｙｎｃｈｒｏｎｉｚａｔｉｏｎ）判定、無線リンク障害判定、および動的リンク適応（例えば、適応変調および符号化（ＡＭＣ：ａｄａｐｔｉｖｅ  ｍｏｄｕｌａｔｉｏｎ  ａｎｄ  ｃｏｄｉｎｇ））技法を支援するチャネル品質表示（ＣＱＩ：ｃｈａｎｎｅｌ  ｑｕａｌｉｔｙ  ｉｎｄｉｃａｔｏｒ）のために使用することができる。
【０００３】
例えば、ＴＤＤモードにおいて、ユーザ装置（ＵＥ）によって高速共用情報チャネル（ＨＳ−ＳＩＣＨ）上を送信されるＣＱＩと呼ばれる品質表示は、推奨トランスポートフォーマットリソースコンビネーション（ＴＦＲＣ：Ｔｒａｎｓｐｏｒｔ  Ｆｏｒｍａｔ  Ｒｅｓｏｕｒｃｅ  Ｃｏｍｂｉｎａｔｉｏｎ）である。一般に、ＴＦＲＣは、可能なトランスポートブロックサイズ、変調方式、および利用可能なその他のリンク適応パラメータに関係する。推奨ＴＦＲＣは通常、ＵＥが直近に受信した信号に基づく。
【０００４】
通信システムが３ＧＰＰシステムであるかどうかに関わらず、ＣＱＩは、推奨トランスポートブロックサイズ、変調フォーマット、符号の数、もしくは電力オフセット、または複数の異なるタイプのリンク適応パラメータのいずれか１つを表すことができる。これらのＣＱＩは、受信機によって導出され、後続する送信のための送信パラメータを設定するのに、送信機に通知される。
【０００５】
ＣＱＩは一般に、ＡＭＣ機能向けに推奨される符号化および変調方式など、具体的なリンク適応情報を提供するか、または、適切な送信パラメータの選択を行う基礎として後で使用される１つもしくは複数の汎用的な品質表示を提供する。
【０００６】
ＣＱＩが正確でないと、選択される変調および符号化方式（またはその他の送信パラメータ）は準最適なものにしかならない。チャネル品質を実際より良く推定してしまうと、変調および符号化方式の継続使用を正当化できないほど受信品質が貧弱である場合でも、ＵＥとノードＢにその変調および符号化方式をそのまま使用しようと試みさせ続けることになり得る。チャネル品質を実際より悪く推定してしまうと、過大な送信電力および無線リソースの非効率的使用につながることがある。あるいは、同期および同期ずれ処理の場合では、最終的に無線リンク障害を早まって断定してしまい、無線リソースを解放してしまうことになり得る。その結果、呼が理由もなく切断されることが起こり得る。過大な送信電力は、他のセルに及ぼす干渉が不必要に大きくなり得るため、システムレベルでのスループットが失われる原因となる。したがって、不正確なチャネル品質推定は、スループットを低下させ、送信電力を浪費し、他のセルへの干渉を増大させる。
【０００７】
従来技術のチャネル推定技法の短所は、これらの技法が受信機においてチャネル品質を推定するものであるため、後続する送信を行う時点で、チャネル品質の十分に正確な推定が送信機に提供されないことである。図１を参照すると、ＵＥとノードＢの間で行われる、従来技術のＣＱＩ生成および報告手順１００が示されている。ノードＢは、ダウンリンク（ＤＬ）制御チャネル上にメッセージを送信して（ステップ１０２）、次の関連するＤＬデータ送信用にどのリソースがＵＥに割り当てられたかをＵＥに通知する。ＵＥは、リソース割り当てに関する制御メッセージを受信し、ＤＬデータ送信の受信を待機する（ステップ１０４）。
【０００８】
ノードＢは、関連するＤＬデータ送信を送信する（ステップ１０６）。ＵＥは、ＤＬデータ送信を読み込み（ステップ１０８）、選択的な品質測定（ｓｅｌｅｃｔｉｖｅ  ｑｕａｌｉｔｙ  ｍｅａｓｕｒｅｍｅｎｔ）を行う（ステップ１１０）。ＵＥは、ステップ１１０において得た測定値を使用して、ブロック誤り率（ＢＬＥＲ）など、その他の指定され得る要件を依然として満たしながら、最高のスループットを提供するであろうと推定されるＣＱＩを導出する（ステップ１１２）。
【０００９】
次にＵＥは、直近に導出したＣＱＩを、次に利用可能なＵＬ制御チャネルでノードＢに報告する（ステップ１１４）。ノードＢは、ＣＱＩを受信し（ステップ１１６）、次にＣＱＩを使用して、次のデータ送信用の送信パラメータを設定する（ステップ１１８）。
【発明の概要】
【発明が解決しようとする課題】
【００１０】
しかしながら、ＣＱＩフィードバックを提供する現行の方法には問題点が存在する。例えば、現行の３ＧＰＰ仕様は、ＣＱＩを導出するのにＵＥがどれだけの時間を費やして良いかに関して、具体的な時間制限を定めていない。これには過度に長い時間が費やされることもあり得る。しかし、与えられたデータ送信からＣＱＩを導出したら、ＣＱＩを次の利用可能なＵＬ制御チャネルにおいて報告する必要がある（かつ望ましい）。こうすることで、ＣＱＩ情報をノードＢに提供する際の遅延が最短化される。しかし、ＣＱＩ情報をＵＥからノードＢに提供する際の遅延が最短化されるにしても、遅延がなくなるわけではない。
【００１１】
図２の例示的なタイミング図に示すように、ＵＥがＤＬ送信に関する選択的な測定を行うＣＱＩ測定期間が、１つまたは複数のＤＬ送信上に存在する。図２に示すように、測定は、ＤＬデータチャネル、ＤＬパイロットチャネル、またはＤＬデータチャネルとＤＬパイロットチャネルの組み合わせに関して実行することができる。測定が実行された後、ＣＱＩが計算されるが、これは時刻ｔ１で示されている。ＣＱＩを次の利用可能なＵＬ送信でノードＢに報告することによって（時刻ｔ２で示される）、遅延は最短化されるが、次のダウンリンクデータ送信用にパラメータを設定するために、その後、そのＣＱＩがノードＢによって使用されるまでに（時刻ｔ３で示される）、さらなる遅延が発生する。
【００１２】
ＣＱＩ算出の基となる測定の完了（時刻ｔ１）と、その後、関連する送信パラメータを設定するためにノードＢによって時刻ｔ３で行われる使用との間の遅延（図２においてＡとして示す）の結果、ＣＱＩは、ノードＢによって使用される時刻では、正確なものではなくなる。この遅延が大きければ大きいほど、ＣＱＩの正確性は低くなる。ＣＱＩの正確性が低くなると、送信パラメータは真のチャネル状態を正確に反映していないＣＱＩに基づくことになるので、結果的にＤＬチャネル品質が損なわれる。要するに、ＣＱＩ決定のための従来技術の方法では、チャネルの過去の状態が反映されてしまう。
【００１３】
周知の従来技術のシステムに伴う深刻な不都合のない、チャネル品質決定方法を提供することが望まれている。
【課題を解決するための手段】
【００１４】
本発明は、リンク適応技法を利用する通信システムのための、チャネル品質予測によって性能を改善する方法を提供する。受信機は、ＤＬ送信に関する選択的な測定を行い、その後、１つまたは複数の測定値、または測定値から導出したチャネル品質表示を保存する。次に受信機は、１つまたは複数の過去の測定値（または過去のチャネル品質推定自体）を取り出し、それを現在の測定値（または現在のチャネル品質推定）と合成して、チャネル品質が将来のある時刻にどのようになるかを予測し、予測チャネル品質表示（ＣＱＩ）を導出する。現在のチャネル測定値と少なくとも１つの過去のチャネル測定値とから導出されるこの予測ＣＱＩは、その後、送信機に送信されて、送信パラメータを更新するのに使用される。
【発明の効果】
【００１５】
以上説明したように、ＣＱＩ決定のための従来技術の方法では、チャネルの過去の状態が反映されてしまう問題を解決する。周知の従来技術のシステムに伴う深刻な不都合のない、チャネル品質決定方法を提供することができる。
【図面の簡単な説明】
【００１６】
【図１】従来技術によるＣＱＩの生成および報告の方法のフローチャートである。
【図２】従来技術のＣＱＩ報告方法に関連する遅延を示すタイミング図である。
【図３】本発明の好ましい一実施形態による予測ＣＱＩの生成、報告方法である。
【図４】第１の代替的な実施形態による予測ＣＱＩの生成、報告方法である。
【図５】第２の代替実施形態による予測ＣＱＩの生成、報告方法である。
【図６】図３および図４に示す本発明の実施形態に関連する本来的なＣＱＩ遅延の排除を示したタイミング図である。
【図７】従来技術によるＣＱＩ生成および報告プロセスによる差の分布と、本発明による予測ＣＱＩ生成および報告プロセスによる差の分布とを対照させて示したグラフである。
【発明を実施するための形態】
【００１７】
例として提供され、添付の図面と併せて理解される、以下の好ましい実施形態についての説明から、本発明のより詳細な理解が得られるであろう。
【００１８】
本出願では、以下の頭字語を使用する。  
３ＧＰＰ          第３世代パートナーシッププロジェクト
ＡＭＣ            適応変調および符号化
ＣＤＭＡ          符号分割多元接続
ＣＱＩ            チャネル品質表示
ＤＬ              ダウンリンク
ＦＤＤ            周波数分割複信
ＨＳＤＰＡ        高速ダウンリンクパケットアクセス
ＨＳ−ＤＰＣＣＨ  ＨＳ−ＤＳＣ用の共用情報チャネル（ＦＤＤ）
ＨＳ−ＳＩＣＨ    ＨＳ−ＤＳＣＨ用の高速共用情報チャネル（ＴＤＤ）
ＳＩＲ            信号対干渉比
ＴＤＤ            時分割複信
ＴＤ−ＳＣＤＭＡ  時分割同期符号分割多元接続
ＴＦＲＣ          トランスポートフォーマットリソースコンビネーション
ＵＥ              ユーザ装置
ＵＬ              アップリンク
【００１９】
本発明は、従来技術に伴う不都合のない、チャネル品質予測の改良された方法を提供する。
【００２０】
これ以降、無線送受信ユニット（ＷＴＲＵ）は、ＵＥ、移動局、固定もしくは移動加入者ユニット、ポケットベル、または無線環境で動作可能なその他の任意のタイプの装置を含むとするが、これらに限定されるものではない。本明細書では、これらの各用語は同じ意味で使用することができる。これ以降、ノードＢに言及する場合、ノードＢは、基地局、サイトコントローラ、アクセスポイント、または無線環境におけるその他の任意のタイプのインタフェース装置を含むとするが、これらに限定されるものではない。本明細書では、これらの各用語は同じ意味で使用することができる。
【００２１】
本発明が、ＴＤＤ、ＦＤＤ、ＴＤ−ＳＣＤＭＡ、ＣＤＭＡ２０００、ならびにその他の送信モードおよびタイプに、例外なく適用できることに留意されたい。より詳細には、本発明は、ＡＭＣまたはその他の形態の無線リンク適応など、チャネル品質を監視し、チャネル品質に基づいて後続する送信のための送信パラメータを適応させる方式を利用する、任意の通信システムに適用することができる。
【００２２】
本発明によれば、ＣＱＩは、将来のチャネル状態の品質を示す予測表示である。そのような予測は、ノードＢまたはＷＴＲＵのどちらかで実行することができるが、以降本明細書では、ＷＴＲＵで実行されるものとして本発明を説明する。さらに、測定とＣＱＩの導出は、受信機が実行するものとして本発明を説明するが、受信機で測定を実行し、測定値を送信機に送信して、そこでＣＱＩを導出することも等しく可能である。本発明はアップリンク（ＵＬ）送信にもＤＬ送信にも等しく適用することができ、ＵＬにおけるリンク適応の場合は、以降本明細書で説明するＷＴＲＵとノードＢの役割が逆転することも、当業者であれば理解されよう。
【００２３】
送信バーストが複数のタイムスロットに跨ることがあるスロットシステム（ｓｌｏｔｔｅｄ  ｓｙｓｔｅｍ）では、これらのタイムスロットにおいて干渉レベルが大幅に変動し得る。本発明は、チャネルフェージング状態がスロット毎に著しく変化することを認識している。スロット毎のＣＱＩ予測を可能にする（しかし、必須とはしない）ことによって、チャネル品質予測を改善することができる。したがって、送信機に報告されるチャネル品質を、従来技術の状況と比べて、より正確なものとすることができる。
【００２４】
図３を参照すると、本発明に従ってＣＱＩを生成し、報告するための手順２００が示されている。手順２００は、ＷＴＲＵへのリソース割り当てに関するダウンリンク制御メッセージを送信するノードＢによって開始される（ステップ２０２）。ＷＴＲＵは、ダウンリンク制御チャネル上で、リソース割り当てに関する制御メッセージを受信する（ステップ２０４）。メッセージは、後続のデータ送信のタイミングおよび後続するデータ送信の送信パラメータ（例えば、変調や符号化のタイプなど）をＷＴＲＵに通知する。次にノードＢが、ＷＴＲＵにダウンリンクデータ送信を送信し（ステップ２０６）、ＷＴＲＵが、それを受信する（ステップ２０８）。ＷＴＲＵは、ダウンリンクデータ送信に関して選択的なＣＱＩ測定を行い（ステップ２１０）、現在のＣＱＩを導出し（ステップ２１２）、その後、予測ＣＱＩを決定する（ステップ２１４）。ステップ２１４の一部として、ＷＴＲＵは、後で予測ＣＱＩを決定する際に使用するため、１つまたは複数のＣＱＩ測定値および／またはＣＱＩを保存する。さらに、現在のＣＱＩの導出は、予測ＣＱＩを決定するために必要ではないことに留意されたい。したがって、ステップ２１２は、この実施形態ではオプション的なものと考えることができる。例えば、過去のＣＱＩ測定値を現在のＣＱＩ測定値と合成して、予測ＣＱＩを導出することができる。
【００２５】
予測ＣＱＩは、現在の測定値と少なくとも１つの過去の測定値とから導出される。ＷＴＲＵは、１つまたは複数の過去のＣＱＩ測定値（または過去のＣＱＩ自体）を取り出し、それを現在のＣＱＩ測定値（または現在のＣＱＩ）と合成して、将来のチャネル状態の品質を予測する。
【００２６】
本発明の一実施形態では、予測ＣＱＩを導出するためにステップ２１４で使用される予測方法は、線形予測方法である。これは、現在の情報と過去の情報の合成に基づいて将来の値を予測するための、良く知られた数学的技法である。線形予測方法は、最小２乗法で評価した予測誤差を最小化する。好ましい一実施形態では、ｄＢで表現した信号対干渉比（ＳＩＲ）を予測対象量とする。しかし、信号電力と雑音電力とを別々に予測するなど、その他の因子を含むこともできる。その他の予測方法を使用することもできるが、その際、性能はよいが複雑度は最も低くなるよう考慮して方法を選択することができる。
【００２７】
ステップ２１４において予測ＣＱＩを導出した後、ＷＴＲＵは、予測ＣＱＩをノードＢに報告し（ステップ２１６）、ノードＢは、ステップ２１８で予測ＣＱＩを受信する。次にノードＢは、予測ＣＱＩを使用して、次の送信用の送信パラメータを設定する（ステップ２２０）。
【００２８】
この方法の具体的な実施に応じて、いくつかのステップを１つにまとめられることは、当業者であれば理解されよう。例えば、図４の本発明の方法の代替的な実施形態４００に示すように、ステップ２１０、２１２、２１４は、予測ＣＱＩを決定するための単一のステップ４０８にまとめることができる。図４のその他のステップはすべて、図３を参照しながら説明したステップと同じままである。
【００２９】
さらに、図５に示すように、ステップ２０２および２０４は、手順５００の一部である必要はなく、そのため、ＷＴＲＵは、事前にＤＬ制御メッセージを受信せずに、ＤＬデータ送信を自動的に受信する。
【００３０】
ＣＱＩを決定するための具体的なプロセスが、図３に示すような別個のステップ２１０〜２１４、または図４に示すような単一のステップ４０８のどちらで提示されるにしても、通信チャネルの過去の状態を反映するＣＱＩ決定の従来技術の方法とは対照的に、本発明は通信チャネルの将来の状態を予測する予測ＣＱＩを導出することを、当業者であれば理解されよう。本発明は、現在の測定を行うが、将来のチャネル状態を推定する予測ＣＱＩを予測し、ノードＢに報告する。先に述べたように、この予測ＣＱＩは、現在のＣＱＩ測定値もしくはそれから導出される現在のＣＱＩ、並びに、保存してあった少なくとも１つの過去のＣＱＩ測定値もしくはそれから導出される過去のＣＱＩとから導出される。予測ＣＱＩは、ノードＢで送信を行おうとする時刻により近い時点でのチャネル状態の品質を推定する。
【００３１】
１つのデータチャネルからのみＣＱＩが導出されるように示されているが、ＵＥは、（ステップ２０６の）ＤＬデータ送信、任意の利用可能なパイロット信号、または両方を組み合わせたものを使用して、ＣＱＩを導出することができる。
【００３２】
本発明の好ましい方法２００によれば、予測ＣＱＩのほうが、図１および図２に示すような過去の送信の反映であるＣＱＩ測定値よりも、次の送信を行おうとする時点でノードＢが経験する実際のチャネル状態を良く反映している可能性が高い。
【００３３】
図６を参照すると、ＷＴＲＵは、従来技術の方式と同じ時刻（時刻ｔ１）に、現在のＣＱＩを測定し、その後、それを以前のＣＱＩ測定値と合成して、従来技術の方式と同じ時刻（時刻ｔ２）に、ノードＢに送信するが、本発明によるＷＴＲＵは、時刻ｔ３にチャネル状態がどのようになるかを予測する。図６に示す例では、ＣＱＩはＤＬデータチャネルと時間的に揃うように予測されたので、「明らかな」ＣＱＩ遅延はなくなっている。したがって、ノードＢがＤＬデータを送信しようとするとき（時刻ｔ３）、送信された予測ＣＱＩは時刻ｔ３における予測されたＣＱＩであるので、（Ｂ＝０として示されるように）遅延は存在しない。
【００３４】
ＣＱＩ測定（時刻ｔ１）の完了とノードＢによる測定値の使用との間に遅延が存在するとしても、この遅延は、図２に示された遅延Ａよりも短い。チャネル品質履歴に関する利用可能な過去の情報を使用することによって、次のＤＬデータ送信の時刻に存在するチャネル品質を反映するように、報告するＣＱＩを計算することができ、それによって、符号レート、変調タイプ、およびその他の適応パラメータの選択がより正確になる。
【００３５】
図６には、ＤＬデータチャネルとＤＬパイロットチャネルの両方に関して実行されるＣＱＩ測定が示されているが、ＣＱＩ測定は、ＤＬデータチャネルだけに関して、ＤＬパイロットチャネルだけに関して、またはＤＬデータチャネルとＤＬパイロットチャネルの組み合わせに関して実行することもできることは、当業者であれば理解されよう。
【００３６】
予測ＣＱＩ測定値にもそれに伴う誤差が存在するが（測定値は予測された値であり、実際の値ではないので）、この誤差は、古くなったＣＱＩ測定値を送信する従来技術の方法を用いるより小さくなる可能性が高い。図７には、本発明による予測方式を利用すれば、実際の送信時点におけるチャネル品質状態の報告の精度を高めることができ、それによって、任意の動的リンク適応システムの性能を改善できることが示されている。図７には、測定されたＳＩＲと、そのＳＩＲを使用する時点のＳＩＲとの差の分布が示されている。この例では、遅延は１０ミリ秒である。
【００３７】
２つの確率分布曲線が示されているが、曲線Ａで示すほうが、過去のチャネル状態に基づくＣＱＩ測定値を送信する従来技術の方法の確率分布曲線であり、曲線Ｂで示すもう一方が、将来のチャネル状態に基づく予測ＣＱＩ測定値を送信する本発明の方法の確率分布曲線である。本発明（曲線Ｂ）のほうが、従来技術の方法の曲線Ａよりも、付随する誤差が小さくなる可能性が高く、付随する誤差が大きくなる可能性は低い。本発明による予測信号の分布は、従来技術の遅延信号のものよりもゼロ誤差の近くに集中しており、予測ＣＱＩを使用した場合のほうが、ＣＱＩ報告誤差が小さくなることを示している。
【００３８】
本発明を詳細に説明してきたが、本発明はそれらの説明に限定されるものではなく、添付の特許請求の範囲によって確定される本発明の範囲から逸脱することなく、本発明に様々な変更を施し得ることを理解されたい。
【産業上の利用可能性】
【００３９】
本発明は一般に、無線通信システムに利用できる。より詳細には、本発明は動的リンク適応における改良されたチャネル品質表示のために、無線通信システムに利用される。
【図１】
2009124738.tif 000003
【図２】
2009124738.tif 000004
【図３】
2009124738.tif 000005
【図４】
2009124738.tif 000006
【図５】
2009124738.tif 000007
【図６】
2009124738.tif 000008
【図７】
2009124738.tif 000009